(57)【要約】【課題】屋根体と桁との間の隙間に対する対策を図りつつ、良好な施工性を得られる屋外構造物を提供する。【解決手段】建物の外壁に隣接して設置される屋外構造物であって、桁２８Ａを有する骨組構造体と、桁２８Ａの上方を跨いで配置される複数の垂木３０Ｂを有する屋根体１６と、桁２８Ａより下方に少なくとも一部が配置され、外部空間２０から区画された内部空間２２を内側に形成するための囲い壁と、屋根体１６と桁２８Ａとの間に形成される隙間を塞ぎ、外部空間２０と内部空間２２とを隔てる塞ぎ体４２と、を備える。【選択図】図４
2018017059.tif 000002
【特許請求の範囲】
【請求項１】
建物の外壁に隣接して設置される屋外構造物であって、
桁を有する骨組構造体と、
前記桁から間隔を空けて前記桁を跨いで配置される複数の垂木を有する屋根体と、
前記桁より下方に少なくとも一部が配置され、外部空間から区画された内部空間を内側に形成するための囲い壁と、
前記屋根体と前記桁との間に形成される隙間を塞ぎ、前記外部空間と前記内部空間とを隔てる塞ぎ体と、を備えることを特徴とする屋外構造物。
【請求項２】
前記隙間には、前記垂木と前記桁との間を通るとともに桁長手方向に沿って広がる第１空間が含まれ、
前記塞ぎ体は、前記第１空間を塞ぐ第１塞ぎ部材を有し、
前記第１塞ぎ部材は、前記第１空間に対して、水平方向の一方側から差し込み可能な形状である請求項１に記載の屋外構造物。
【請求項３】
前記垂木及び前記桁のうちの少なくとも一方には、前記第１塞ぎ部材に対して前記水平方向の他方側に前記第１塞ぎ部材が当接可能な位置決め部が設けられる請求項２に記載の屋外構造物。
【請求項４】
前記複数の垂木には、桁長手方向の両側に配置される一対の妻垂木が含まれ、
前記第１塞ぎ部材は、前記一対の妻垂木のうちの一方の妻垂木の下方から他方の妻垂木の下方に亘る範囲にあるように設けられる請求項２又は３に記載の屋外構造物。
【請求項５】
前記垂木には、前記第１塞ぎ部材に付与される下向きの荷重を受けるための荷重受け部が設けられる請求項２から４のいずれかに記載の屋外構造物。
【請求項６】
前記隙間には、桁長手方向に隣り合う垂木間に形成される複数の第２空間が含まれ、
前記塞ぎ体は、前記複数の第２空間のそれぞれに対応して設けられ、対応する第２空間を塞ぐ第２塞ぎ部材を有し、
前記桁長手方向に隣り合う垂木には、前記垂木の長手方向に前記第２塞ぎ部材をスライド可能に支持するガイド部が設けられる請求項１から５のいずれかに記載の屋外構造物。
【請求項７】
前記垂木には、前記ガイド部を覆う垂木カバーが取り付けられ、
前記垂木カバーは、前記第２塞ぎ部材のスライドを拘束可能な位置に配置される請求項６に記載の屋外構造物。
【請求項８】
前記隙間には、前記垂木と前記桁との間を通るとともに桁長手方向に沿って広がる第１空間と、前記桁長手方向に隣り合う垂木間に形成される複数の第２空間と、が含まれ、
前記塞ぎ体は、前記第１空間を塞ぐ第１塞ぎ部材と、前記複数の第２空間のそれぞれに対応して設けられ、対応する第２空間を塞ぐ第２塞ぎ部材と、を有し、
前記第１塞ぎ部材には、前記第１塞ぎ部材の上面部から立ち上がるように立壁部が設けられ、
前記立壁部は、前記第２塞ぎ部材に重ね合わせられている請求項１から７のいずれかに記載の屋外構造物。
【請求項９】
前記立壁部は、前記第２塞ぎ部材に締結具を用いて締結されている請求項８に記載の屋外構造物。
【請求項１０】
請求項１から９のいずれかに記載の屋外構造物の構築方法であって、
前記桁となる中間桁と、前記中間桁を挟んで前記外壁とは反対側に配置される前桁とを有する前記骨組構造体を組み立てる工程と、
前記前桁と前記外壁との間に前記複数の垂木を架け渡す工程と、
前記屋根体と前記中間桁との間に前記塞ぎ体を配置する工程と、を含むことを特徴とする屋外構造物の構築方法。
【請求項１１】
本構築方法は、請求項２から９のいずれかに記載の屋外構造物の構築方法であり、
前記塞ぎ体を配置する工程には、前記第１空間に対して前記桁長手方向と直交する水平方向の一方側から前記第１塞ぎ部材を差し込む工程が含まれる請求項８に記載の屋外構造物の構築方法。
【発明の詳細な説明】
【技術分野】
【０００１】
本発明は、建物の外壁に隣接して設置される屋外構造物に関する。
【背景技術】
【０００２】
従来より、ガーデンルームのような、建物の外壁に隣接して設置される屋外構造物が提案されている。この種の屋外構造物として、特許文献１には、桁を有する骨組構造体と、桁により支持される複数の垂木を有する屋根体と、屋根体の下方に配置され、外部空間から区画された内部空間が形成される囲い壁とを備えたものが開示されている。
【先行技術文献】
【特許文献】
【０００３】
【特許文献１】特開２０１４−１６９５２７号公報
【発明の概要】
【発明が解決しようとする課題】
【０００４】
この種の屋外構造物では、屋根体と桁の間に隙間が空いたままであると、その隙間を通して外部空間から内部空間に隙間風や雨水等が入り込んでしまう。この対策として、特許文献１の屋外構造物は、桁との交差部で垂木を二つの分割部材に分割し、垂木の分割部材を桁に固定しており、屋根体と桁との間の隙間を生じさせない構造としている。しかしながら、垂木を二つの分割部材に分割してしまうと、二つの分割部材それぞれの端部を桁に対してネジ止め等により固定する必要がある。これに伴い垂木の組み付けに要する施工工数が増大し、施工性の低下を招くため、その改善が望まれる。
【０００５】
本発明は、このような課題に鑑みてなされ、その目的は、屋根体と桁との間の隙間に対する対策を図りつつ、良好な施工性を得られる屋外構造物を提供することにある。
【課題を解決するための手段】
【０００６】
上記の課題を解決するための本発明の第１態様は屋外構造物である。第１態様の屋外構造物は、建物の外壁に隣接して設置される屋外構造物であって、桁を有する骨組構造体と、前記桁から間隔を空けて前記桁を跨いで配置される複数の垂木を有する屋根体と、前記桁より下方に少なくとも一部が配置され、外部空間から区画された内部空間を内側に形成するための囲い壁と、前記屋根体と前記桁との間に形成される隙間を塞ぎ、前記外部空間と前記内部空間とを隔てる塞ぎ体と、を備える。
【０００７】
第１態様の屋外構造物によれば、複数の垂木が桁を跨いで配置され、桁との交差部で垂木が分割されないレイアウトにできる。よって、垂木の部品点数を抑えられ、垂木の組み付けに要する施工工数の増大の発生を防止でき、良好な施工性を得られる。また、このようなレイアウトのもとでも、屋根体と桁との間の隙間に対する対策を塞ぎ体により図れる。
【図面の簡単な説明】
【０００８】
【図１】本実施形態の屋外構造物を示す側面図である。
【図２】図１のＡ−Ａ線断面図である。
【図３】図３（ａ）は、図１のＢ−Ｂ線断面図であり、図３（ｂ）は、図３（ａ）から塞ぎ体を取り外した状態を示す図である。
【図４】図３のＣ−Ｃ線断面図である。
【図５】図３の左右方向Ｘに隣り合う中間垂木の拡大図である。
【図６】図３（ａ）のＤ−Ｄ線断面図である。
【図７】第３工程の途中状態を図４と同じ視点から見た図である。
【図８】第３工程の途中状態を図４と同じ視点から見た他の図である。
【図９】図４のＥ−Ｅ線断面図である。
【発明を実施するための形態】
【０００９】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。また、共通点のある別々の構成要素には、共通する符号の末尾に「Ａ、Ｂ」と付すことで区別し、総称するときはこれらを省略する。
【００１０】
図１は、本実施形態の屋外構造物１０を示す側面図である。図２は、図１のＡ−Ａ線断面図である。屋外構造物１０は、住宅等の建物の外壁１２に隣接して設置される。本実施形態の屋外構造物１０は、既設の建物に付加的に用いられる。
【００１１】
屋外構造物１０は、骨組構造体１４と、屋根体１６と、囲い壁１８と、を備える。骨組構造体１４は、複数の骨組材を立体的に組んで構成される。屋根体１６は、骨組構造体１４により支持される。囲い壁１８は、屋根体１６の下方に配置され、骨組構造体１４の周囲の外部空間２０から区画された内部空間２２を内側に形成するためのものである。
【００１２】
骨組構造体１４は、複数の骨組材として、柱２４と、梁２６と、桁２８とを備える。以下、後述する中間桁２８Ａの長手方向である桁長手方向（水平方向）を左右方向Ｘとし、左右方向Ｘと直交する水平方向を前後方向Ｙとして説明する。前後方向Ｙに沿った二方向のうち、建物の外壁１２から離間する方向を前側とし、建物の外壁１２に近接する方向を後側とする。
【００１３】
柱２４は、床面から立ち上がるように設けられており、左右方向Ｘに間隔を空けて配置される。本実施形態の柱２４は、左右方向Ｘに間隔を空けて配置される前側の一対の前柱２４Ａと、左右方向Ｘに間隔を空けて配置される後側の一対の後柱２４Ｂとが含まれる。本実施形態の梁２６は妻梁２６である。妻梁２６は、前後方向Ｙに延びるとともに左右方向Ｘに間隔を空けて配置される。桁２８は左右方向Ｘに延びている。本実施形態の桁２８には、中間桁２８Ａと、中間桁２８Ａを挟んで建物の外壁１２とは反対側に配置される前桁２８Ｂと、中間桁２８Ａに対して建物の外壁１２側に配置される後桁２８Ｃとが含まれる。本実施形態の中間桁２８Ａは、一対の妻梁２６の中間部の間に架設される。本実施形態の前桁２８Ｂは、左右方向Ｘに隣り合う前柱２４Ａの上端部の間に架設され、本実施形態の後桁２８Ｃは、左右方向Ｘに隣り合う後柱２４Ｂの上端部の間に架設される。
【００１４】
図３（ａ）は、図１のＢ−Ｂ線断面図であり、図３（ｂ）は、図３（ａ）から塞ぎ体４２（後述する）を取り外した状態を示す図である。屋根体１６は、雨除け可能な屋根下空間を下方に形成する。屋根体１６は、複数の垂木３０と、複数の屋根パネル３２とを備える。複数の垂木３０は、中間桁２８Ａの上方を跨いで配置される。複数の垂木３０は、中間桁２８Ａとの間で間隔を空けて配置される。複数の垂木３０は、左右方向Ｘに間隔を空けて配置される。複数の垂木３０には、左右方向Ｘの両側に配置される一対の妻垂木３０Ａと、一対の妻垂木３０Ａの間に配置される中間垂木３０Ｂとが含まれる。一対の妻垂木３０Ａは、一対の妻梁２６それぞれの上方に配置される。
【００１５】
図４は、図３のＣ−Ｃ線断面図である。図１、図４に示すように、複数の垂木３０は、左右方向Ｘと交差する方向に延びている。複数の垂木３０は、本実施形態では、左右方向Ｘと直交する方向であって、その方向軸が建物の外壁１２から離れるにつれて下り勾配となるように延びている。垂木３０は、前桁２８Ｂと外壁１２との間に架け渡されており、その前端部が前桁２８Ｂに接続され、その後端部が垂木掛け（不図示）を介して建物の外壁１２に接続される。
【００１６】
図５は、図３の左右方向Ｘに隣り合う中間垂木３０Ｂの拡大図である。屋根パネル３２は、左右方向Ｘに隣り合う別々の垂木３０上に配置され、パネル固定具３４により垂木３０に対して固定される。本実施形態のパネル固定具３４は、屋根パネル３２の左右方向Ｘの側辺部を、垂木３０との間でシール材３６を介して挟み込むことにより垂木３０に対して固定する。
【００１７】
図１、図２に示すように、囲い壁１８は、中間桁２８Ａや妻梁２６の下方に配置される。囲い壁１８は、中間桁２８Ａの下方に少なくとも一部が配置されることになる。図２に示すように、囲い壁１８は、屋根体１６の下方の屋根下空間を建物の外壁１２との間で取り囲むことで内部空間２２を内側に形成する。本実施形態の囲い壁１８は、屋根体１６の下方の屋根下空間を、外部空間２０の一部となる前側の軒下空間３７と、後側の内部空間２２とに区画する。囲い壁１８の内部空間２２は、建物の外壁１２に形成される開口部（不図示）を通して、建物の屋内空間との間で行き来可能である。
【００１８】
囲い壁１８は、前方に臨むとともに中間桁２８Ａの下方に配置される前壁部１８ａと、左右方向Ｘの両側方に臨むとともに妻梁２６の下方に配置される側壁部１８ｂとを有する。本実施形態の囲い壁１８は前壁部１８ａの全部と側壁部１８ｂの一部とが開閉可能な複数の障子である。囲い壁１８の内部空間２２は、囲い壁１８の障子を開いたとき、外部空間２０との間で行き来可能となる。本実施形態の障子は折り畳み可能な折戸である。
【００１９】
図３（ｂ）に示すように、骨組構造体１４の中間桁２８Ａと屋根体１６との間には隙間３８が形成される。この隙間３８は、後述する塞ぎ体４２がない場合に、外部空間２０と内部空間２２とを連通させるものである。この隙間３８には、屋根体１６の複数の中間垂木３０Ｂのそれぞれと中間桁２８Ａとの間を通るとともに左右方向Ｘに沿って広がる第１空間３８ａと、左右方向Ｘに隣り合う垂木３０間に形成される複数の第２空間３８ｂとが含まれる。第２空間３８ｂは、左右方向Ｘに隣り合う垂木３０間であって、屋根パネル３２と中間桁２８Ａとの間に形成される。また、妻梁２６と妻垂木３０Ａとの間には妻側スペース４０が形成される。
【００２０】
図３（ａ）に示すように、屋外構造物１０は、更に、骨組構造体１４の中間桁２８Ａと屋根体１６との間に形成される隙間３８を塞ぎ、外部空間２０と内部空間２２とを隔てる塞ぎ体４２を備える。これにより、塞ぎ体４２は、外部空間２０と内部空間２２との間で隙間３８を通ろうとする空気、水等の流体の流れを遮ることができる。
【００２１】
塞ぎ体４２は、第１塞ぎ部材４４と、複数の第２塞ぎ部材４６とを備える。第１塞ぎ部材４４は、左右に延びる長尺体である。本実施形態の第１塞ぎ部材４４は、その横断面が角形断面をなす中空構造の押出成形品（一体成形品）である。第１塞ぎ部材４４は、中間垂木３０Ｂと中間桁２８Ａとの間や、妻垂木３０Ａと妻梁２６との間を通るように配置される。第１塞ぎ部材４４は、左右方向Ｘの両側の妻垂木３０Ａのうち一方の妻垂木３０Ａの下方から他方の妻垂木３０Ａの下方に亘る範囲にあるように設けられる。第１塞ぎ部材４４は、左右方向Ｘの両側の妻梁２６や中間桁２８Ａの上に載せられており、複数の垂木３０は第１塞ぎ部材４４の上に載せられている。これにより、複数の垂木３０は、第１塞ぎ部材４４を介して中間桁２８Ａや妻梁２６により支持される。第１塞ぎ部材４４は、屋根体１６と中間桁２８Ａとの間にある第１空間３８ａの全体や妻側スペース４０を部分的に塞いでいる。
【００２２】
図４に示すように、第１塞ぎ部材４４と中間桁２８Ａとは互いの前面部及び後面部のそれぞれが面一な位置にあるように設けられる。第１塞ぎ部材４４は、第１塞ぎ部材４４から後述する第２留め具５２や締結具６２を取り外して垂木３０や中間桁２８Ａから分離可能な状態にあるとき、垂木３０と中間桁２８Ａとの間の第１空間３８ａに対して前後方向Ｙの一方側となる後側（図４の右側）から方向Ａに差し込み可能な形状である。これは、第１塞ぎ部材４４が垂木３０や中間桁２８Ａから分離可能な状態にあるとき、第１塞ぎ部材４４の中間桁２８Ａに対する前後方向Ｙでのスライドを伴い、第１塞ぎ部材４４が第１空間３８ａに対して前後方向Ｙに抜き差し可能であることを意味する。
【００２３】
図６は、図３（ａ）のＤ−Ｄ線断面図である。垂木３０の下面部にはビス等の第１留め具４８を用いて位置決め具５０が取り付けられる。位置決め具５０は、左右方向Ｘに延びる長尺体であり、垂木３０の左右方向Ｘでの寸法と同等又はそれ以下の寸法をもつ。第１留め具４８は、自らの軸部の先端部を上向きにした状態で、位置決め具５０を貫通するとともに垂木３０の下面部にねじ込まれることで、位置決め具５０を垂木３０に留め付ける。
【００２４】
位置決め具５０には、第１塞ぎ部材４４に対して前後方向Ｙの他方側となる前側（図６の左側）に第１塞ぎ部材４４が当接可能な垂木側位置決め部５０ａが設けられる。垂木３０には、垂木３０に取り付けられる位置決め具５０を介して垂木側位置決め部５０ａが設けられることになる。垂木側位置決め部５０ａは、位置決め具５０の前側の端部から下向きに突き出ている。第１塞ぎ部材４４の前側に臨む面部となる前面部には、垂木側位置決め部５０ａと前後に対向する箇所に前後方向Ｙに凹む第１当接部４４ａが形成される。位置決め具５０の垂木側位置決め部５０ａは、垂木３０と中間桁２８Ａとの間に第１塞ぎ部材４４を配置するとき、第１塞ぎ部材４４の第１当接部４４ａに対して前側から当接することによって、第１塞ぎ部材４４を前後方向Ｙに位置決めするためのものである。
【００２５】
中間桁２８Ａには、第１塞ぎ部材４４に対して前側に第１塞ぎ部材４４が当接可能な桁側位置決め部２８ａが設けられる。桁側位置決め部２８ａは、中間桁２８Ａの上面部の前側の端部から上向きに突き出ている。第１塞ぎ部材４４の前面部には、桁側位置決め部２８ａと前後方向Ｙに対向する箇所に前後方向Ｙに凹む第２当接部４４ｂが形成される。中間桁２８Ａの桁側位置決め部２８ａは、垂木３０と中間桁２８Ａとの間に第１塞ぎ部材４４を配置するとき、第１塞ぎ部材４４の第２当接部４４ｂに対して前側から当接することによって、第１塞ぎ部材４４を前後方向Ｙに位置決めするためのものである。
【００２６】
この第１塞ぎ部材４４は、中間桁２８Ａの桁側位置決め部２８ａに対してビス等の第２留め具５２により留め付けることで、中間桁２８Ａに固定される。第２留め具５２は、自らの軸部の先端部を前後方向Ｙの一方側となる後側に向けた状態で、桁側位置決め部２８ａを貫通するとともに第１塞ぎ部材４４の第２当接部４４ｂにねじ込まれることで、第１塞ぎ部材４４を中間桁２８Ａに留め付ける。
【００２７】
第１塞ぎ部材４４は、第１塞ぎ部材４４の下面部から下方に突き出る脚部４４ｃを有する。脚部４４ｃの先端部には第１塞ぎ部材４４の差込方向Ａに延びる第１爪部４４ｄが設けられる。中間桁２８Ａの上面部には上方に突き出る立壁部２８ｂが設けられ、立壁部２８ｂの先端部には第１塞ぎ部材４４の差込方向Ａとは反対方向に延びる爪部２８ｃが設けられる。第１塞ぎ部材４４の第１爪部４４ｄは中間桁２８Ａの爪部２８ｃに対して下側から当接可能な位置に設けられる。第１塞ぎ部材４４の第１爪部４４ｄは、第１塞ぎ部材４４と中間桁２８Ａとが上下に相対変位しようとしたとき、中間桁２８Ａの爪部２８ｃに下側から当接する。これにより、第１塞ぎ部材４４の中間桁２８Ａに対する固定度が高められる。
【００２８】
第１塞ぎ部材４４には、第１塞ぎ部材４４の上面部から立ち上がるように第１立壁部４４ｅが設けられる。第１立壁部４４ｅの先端部には、第１塞ぎ部材４４の差込方向Ａに延びる第２爪部４４ｆが設けられる。
【００２９】
位置決め具５０には、第１塞ぎ部材４４の第２爪部４４ｆに対して下側にて第２爪部４４ｆが当接可能な荷重受け部５０ｂが設けられる。垂木３０には、垂木３０に取り付けられる位置決め具５０を介して荷重受け部５０ｂが設けられることになる。荷重受け部５０ｂは、位置決め具５０の後側に向かって垂木３０の下面部から離れるような段部５０ｃを介して位置決め具５０の一部に連ねられる。垂木３０の下面部と荷重受け部５０ｂとの間には後方に向かって開く溝状の間隙５０ｄが設けられており、その間隙５０ｄに第１塞ぎ部材４４の第２爪部４４ｆが配置される。第１塞ぎ部材４４の第２爪部４４ｆは、第１塞ぎ部材４４と垂木３０とが上下に相対変位しようとしたとき、位置決め具５０の荷重受け部５０ｂに上側から引っ掛けられる。これにより、荷重受け部５０ｂは、第１塞ぎ部材４４に付与される下向きの荷重を受けて、その荷重を第１留め具４８を介して垂木３０に伝達する。
【００３０】
図３（ａ）、図４に示すように、第２塞ぎ部材４６は、左右方向Ｘに延びる長尺体である。複数の第２塞ぎ部材４６は、複数の第２空間３８ｂのそれぞれに対応して設けられ、対応する第２空間３８ｂを塞いでいる。
【００３１】
図４、図５に示すように、第２塞ぎ部材４６は、パネル部材５４と、シール部材５６と、スライド部５８とを備える。パネル部材５４は、中空構造の押出成形品（一体成形品）である。パネル部材５４は、左右方向Ｘに延びるとともに上下方向に延びている。パネル部材５４には下方に突き出る突出片５４ａが形成される。パネル部材５４の突出片５４ａは、第１塞ぎ部材４４の第１当接部４４ａを前側から覆うように配置される。パネル部材５４と第１塞ぎ部材４４とは互いの前面部が面一な位置にあるように設けられる。
【００３２】
シール部材５６は、パネル部材５４の上辺部に装着される。シール部材５６は、ゴム等の弾性をもつ素材を用いて構成される。シール部材５６は、パネル部材５４の上辺部と屋根パネル３２との間に弾性変形した状態で介装され、これらの間をシールする。
【００３３】
図５に示すように、スライド部５８は、パネル部材５４の左右方向Ｘの側辺部から外向きに突き出るように設けられる。本実施形態のスライド部５８は、パネル部材５４とは別の部材であって、パネル部材５４の側辺部に形成される中空部内に一部が嵌め込まれる部材により構成される。スライド部５８の先端部には、上下方向の両側に突き出る突片部５８ａが設けられる。
【００３４】
左右方向Ｘに隣り合う垂木３０には、垂木３０の左右方向Ｘに対向する位置に左右方向Ｘに窪む凹部３０ａが設けられる。凹部３０ａは、垂木３０の左右方向Ｘに臨む側面部の一部３０ａａより左右方向Ｘに窪むように設けられる。この凹部３０ａの底側にはガイド部３０ｂが設けられる。ガイド部３０ｂは、垂木３０の長手方向に沿って延びるとともに対向する他の垂木３０に向かって開く溝部である。ガイド部３０ｂには、溝底部から入口側に離れた位置に溝幅寸法を狭めるように突き出る離脱規制部３０ｃが設けられる。
【００３５】
スライド部５８は、ガイド部３０ｂの内側に配置され、ガイド部３０ｂに沿ってスライド可能である。スライド部５８の突片部５８ａは、ガイド部３０ｂの内側から、ガイド部３０ｂの離脱規制部３０ｃに左右方向Ｘに当接可能に設けられる。スライド部５８は、ガイド部３０ｂの離脱規制部３０ｃに当接することで、ガイド部３０ｂから左右方向Ｘに離脱する変位が規制される。第２塞ぎ部材４６は、第２塞ぎ部材４６のスライド部５８が垂木３０のガイド部３０ｂに沿ってスライドすることで、垂木３０の長手方向に沿って動くようにガイドされる。このように、ガイド部３０ｂは、垂木３０の長手方向に第２塞ぎ部材４６をスライド可能に支持している。
【００３６】
第２塞ぎ部材４６は、第２塞ぎ部材４６の長手方向（左右方向Ｘ）に沿った軸周りに回動可能である。第２塞ぎ部材４６は、その軸周りに回動することで、スライド部５８の突片部５８ａが離脱規制部３０ｃに対して左右方向Ｘに当接可能な離脱規制位置と、スライド部５８の突片部５８ａが離脱規制部３０ｃに対して左右方向Ｘに当接不能な離脱許容位置との間を移動可能である。第２塞ぎ部材４６が離脱許容位置にあるとき、スライド部５８がガイド部３０ｂから左右方向Ｘに離脱するような変位が許容され、第２塞ぎ部材４６を垂木３０から分離できる。
【００３７】
図４、図５に示すように、第２塞ぎ部材４６は第１塞ぎ部材４４に連結具６０を用いて連結される。連結具６０は、左右方向Ｘに延びる長尺体となる押出成形品（一体成形品）である。連結具６０の左右方向Ｘに沿った寸法は、第２塞ぎ部材４６の左右方向Ｘの寸法と同等の大きさをもつ。連結具６０は、第１塞ぎ部材４４と第２塞ぎ部材４６との境目を前後方向の一方側（本例では後側）から覆うように配置される。
【００３８】
図４に示すように、第１塞ぎ部材４４の上面部には連結具６０を装着するための装着溝４４ｇが形成される。装着溝４４ｇは入口部より底部の方が溝幅の大きい溝状をなす。連結具６０には第１塞ぎ部材４４の装着溝４４ｇに嵌め込まれることにより装着される嵌込部６０ａが設けられる。連結具６０は、装着溝４４ｇに対する嵌込部６０ａの嵌め込みにより、第１塞ぎ部材４４に対する上下方向での変位が規制される。連結具６０の嵌込部６０ａは、第１塞ぎ部材４４の装着溝４４ｇに左右方向Ｘの片側から差し込むことで、その装着溝４４ｇに嵌め込まれる。
【００３９】
連結具６０には、第１塞ぎ部材４４の上面部から立ち上がるように第２立壁部６０ｂが設けられる。第２立壁部６０ｂは、第２塞ぎ部材４６に対して前後方向Ｙの一方側となる後側から重ね合わせられ、その状態でビス等の締結具６２を用いて締結されることで固定される。締結具６２は、軸部の先端部を前側に向けた状態で第２塞ぎ部材４６にねじ込まれる。締結具６２は、連結具６０の第２立壁部６０ｂを左右方向Ｘの複数箇所で第１塞ぎ部材４４に締結する。
【００４０】
なお、図３（ａ）に示すように、妻垂木３０Ａと妻梁２６との間には、これらの間を通る左右方向Ｘでの空気の流れを遮るためのシール構造体６４が配置されている。シール構造体６４は、妻垂木３０Ａと妻梁２６との間に収まる妻パネル６４ａと、妻垂木３０Ａと妻パネル６４ａとの間や妻梁２６と妻パネル６４ａとの間をシールする複数のビート（不図示）とを備える。
【００４１】
次に、前述の屋外構造物１０の構築方法を説明する。この構築方法には、主に、次の工程が含まれる。
（第１工程）複数の骨組材を立体的に組んで骨組構造体１４を組み立てる。
（第２工程）骨組構造体１４上で屋根体１６を組み立てる。
（第３工程）複数の垂木３０と中間桁２８Ａとの間に塞ぎ体４２を配置する。
【００４２】
第２工程では、まず、建物の外壁１２と骨組構造体１４の前桁２８Ｂとの間に複数の垂木３０を架け渡す。次に、複数の垂木３０上に屋根パネル３２を配置して、パネル固定具３４により屋根パネル３２を固定する。
【００４３】
図７、図８は、第３工程の途中状態を図４と同じ視点から見た図である。第３工程では、まず、左右方向Ｘに隣り合う垂木３０のガイド部３０ｂ内に第２塞ぎ部材４６のスライド部５８を配置し、そのガイド部３０ｂにより第２塞ぎ部材４６をスライド可能に支持させる（図５参照）。この状態で、垂木３０のガイド部３０ｂに沿って第２塞ぎ部材４６をスライドさせることにより、図７（ａ）に示すように、第２塞ぎ部材４６が組み付けられるべき組付予定位置Ｐａ（図８（ａ）の二点鎖線位置）に対して前後方向Ｙにずれた箇所にある仮置き位置Ｐｂ（図８（ａ）中の実線位置）にまで第２塞ぎ部材４６を移動させる。本実施形態では第１塞ぎ部材４４が組み付けられるべき組付予定位置Ｐａに対して第１塞ぎ部材４４の差込方向Ａにずれた箇所が仮置き位置Ｐｂとなる。
【００４４】
第３工程では、次に、図７（ｂ）に示すように、複数の垂木３０と中間桁２８Ａとの間の第１空間３８ａに対して前後方向Ｙの後側から第１塞ぎ部材４４を差込方向Ａに差し込み、これらの間に第１塞ぎ部材４４を配置する。第１塞ぎ部材４４は、垂木３０に設けられる垂木側位置決め部５０ａや、中間桁２８Ａに設けられる桁側位置決め部２８ａに当接するまで前方に移動させる。第１塞ぎ部材４４は、これら位置決め部２８ａ、５０ａに前側から当接されることにより、前後方向Ｙに位置決めされる。このとき、第１塞ぎ部材４４の上面部には連結具６０を予め装着しておく。
【００４５】
第３工程では、次に、図８（ａ）に示すように、仮置き位置Ｐｂにある第２塞ぎ部材４６を垂木３０のガイド部３０ｂに沿ってスライドさせることにより、第２塞ぎ部材４６を組付予定位置Ｐａまで移動させる。第２塞ぎ部材４６は、第１塞ぎ部材４４に設けられる第２立壁部６０ｂに当接するまで後方に移動させる。第２塞ぎ部材４６は、第２立壁部６０ｂに後側から当接されることにより、前後方向Ｙに位置決めされる。第２塞ぎ部材４６が第２立壁部６０ｂに当接するまで移動させたら、締結具６２を用いて第２塞ぎ部材４６を第２立壁部６０ｂに固定する。この後、図８（ｂ）に示すように、第２留め具５２により第１塞ぎ部材４４を中間桁２８Ａに固定する。
【００４６】
以上の屋外構造物１０の作用効果を説明する。
本実施形態の屋外構造物１０は、複数の垂木３０が中間桁２８Ａの上方を跨いで配置され、中間桁２８Ａとの交差部で垂木３０が分割されないレイアウトにできる。よって、垂木３０の部品点数を抑えられ、垂木３０の組み付けに要する施工工数の増大の発生を防止でき、良好な施工性を得られる。
【００４７】
また、屋外構造物１０は、屋根体１６と中間桁２８Ａとの間の隙間３８を塞ぐ塞ぎ体４２を備える。よって、屋根体１６と中間桁２８Ａとの間の隙間３８を通して、囲い壁１８の外側の外部空間２０から囲い壁１８の内側の内部空間２２に隙間風や雨水等が入り込むのを防止できる。このため、前述のような、中間桁２８Ａとの交差部で垂木３０が分割されないレイアウトのもとでも、屋根体１６と中間桁２８Ａとの間の隙間３８に対する対策を塞ぎ体４２により図れる。
【００４８】
また、複数の垂木３０は中間桁２８Ａから間隔を空けて配置されており、屋根体１６と中間桁２８Ａとの間には比較的に広い隙間３８が形成される。このようなレイアウトのもとでも、この隙間３８に対する対策を塞ぎ体４２により図れるため、このような広い隙間３８がある設計が許容され、設計上の自由度を高められる。
【００４９】
第１塞ぎ部材４４は、垂木３０と中間桁２８Ａとの間を通る第１空間３８ａに対して、前後方向Ｙの一方側（後側）から差し込み可能な形状である。よって、屋外構造物１０の構築作業時、中間桁２８Ａに対して第１塞ぎ部材４４を上側から被せる作業をせずとも、垂木３０と中間桁２８Ａとの間に第１塞ぎ部材４４を配置できる。よって、屋外構造物１０の構築作業時、高所での作業工数を減らして安全性を高められる。
【００５０】
（Ａ）また、垂木３０や中間桁２８Ａには、第１塞ぎ部材４４に対して前後方向Ｙの他方側（前側）にて第１塞ぎ部材４４が当接可能な位置に垂木側位置決め部５０ａや桁側位置決め部２８ａが設けられている。よって、垂木３０と中間桁２８Ａとの間に前後方向の一方側（後側）から第１塞ぎ部材４４を差し込むだけで、第１塞ぎ部材４４を組付予定位置に位置決めした状態で配置でき、良好な作業性を得られる。
【００５１】
また、第１塞ぎ部材は、一対の妻垂木３０Ａのうちの一方の妻垂木３０Ａの下方から他方の妻垂木３０Ａの下方に亘る範囲にあるように設けられる。よって、単数の第１塞ぎ部材４４を配置するだけで、屋根体１６の下方の第１空間３８ａを広い範囲で塞げるようになり、その第１空間３８ａを塞ぐうえで良好な作業性を得られる。
【００５２】
垂木３０には、第１塞ぎ部材４４に付与される下向きの荷重を受けるための荷重受け部５０ｂが設けられるため、次の利点がある。仮に、積雪等により外部からの荷重（以下、外部荷重という）が屋根体１６の一部に付与され、屋根体１６の一部から一つの垂木３０に外部荷重が伝達された場合を考える。この場合、前述の構成によれば、一つの垂木３０から第１塞ぎ部材４４を介して他の垂木３０に外部荷重を伝達でき、屋根体１６に付与される外部荷重に対して複数の垂木３０や第１塞ぎ部材４４により一体的に抵抗できる。よって、第１塞ぎ部材４４を第１空間３８ａに対して前後方向Ｙから差し込み可能な形状にしつつも、外部荷重に対する屋根体１６の強度を効果的に高められる。
【００５３】
また、左右方向Ｘに隣り合う垂木３０には、第２塞ぎ部材４６をスライド可能に支持するガイド部３０ｂが設けられる。よって、第２塞ぎ部材４６を組付予定位置に配置するうえで、第２塞ぎ部材４６の荷重の一部を垂木３０で支えながら作業でき、第２塞ぎ部材４６の全荷重を作業者が自身で支えながら作業するより、良好な作業性を得られる。
【００５４】
また、第１塞ぎ部材４４には、第２塞ぎ部材４６に重ね合わせられる第２立壁部６０ｂが設けられている。よって、第１塞ぎ部材４４の第２立壁部６０ｂと第２塞ぎ部材４６との間を通して隙間風や雨水等が入り込み難くなり、これらの外部空間２０から内部空間２２への入り込みを効果的に防止できる。特に、第１塞ぎ部材４４の第２立壁部６０ｂは、締結具６２を用いて締結されているため、締結具６２の軸力によりこれらを密着させることができ、これらの間での隙間風等の入り込みを効果的に防止できる。
【００５５】
次に、屋外構造物１０の他の特徴を説明する。
図９は、図４のＥ−Ｅ線断面図である。垂木３０は、上側部材３０ｄと、下側部材３０ｅとを有する。上側部材３０ｄは、下向きに開く開口が設けられた溝状の開断面形状をなし、下側部材３０ｅは、上向きに開く開口が設けられた溝状の開断面形状をなす。上側部材３０ｄと下側部材３０ｅとは、互いの開口を向かい合わせて配置され、その溝幅方向両側の側壁部の一部が互いに重ね合わせられ、その重ね合わせ箇所をビス等の締結具６６により締結することで接続される。垂木３０は、このように接続される上側部材３０ｄと下側部材３０ｅとにより閉断面形状をなしている。
【００５６】
垂木３０の左右方向Ｘの両側に臨む側面部には垂木カバー６８が取り付けられる。垂木カバー６８は、垂木３０のガイド部３０ｂや前述の締結具６６を左右方向Ｘの片側から覆うカバー部６８ａと、カバー部６８ａから垂木３０に向かって左右方向Ｘに突き出る一対に引っ掛け部６８ｂとを有する。カバー部６８ａの外側面は、前述の垂木３０の側面部の一部３０ａａと面一な位置にあるように設けられる。一対の引っ掛け部６８ｂは垂木３０のガイド部３０ｂ内に差し込まれている。一対の引っ掛け部６８ｂは、互いに狭まる方向に弾性的に撓み変形可能である。垂木カバー６８は、スナップフィット方式によって、ガイド部３０ｂの離脱規制部３０ｃに一対の引っ掛け部６８ｂが引っ掛けられることで、垂木３０に対して着脱可能に取り付けられる。なお、図５では垂木カバー６８を省略している。
【００５７】
図４に示すように、垂木カバー６８は、第２塞ぎ部材４６に対して垂木３０の長手方向の両側において第２塞ぎ部材４６が当接可能な位置に個別に配置される。第２塞ぎ部材４６の前側の垂木カバー６８は、図示しないが、垂木カバー６８の前側に配置される骨組構造体１４の一部に当接することにより、垂木３０に対する位置が固定される。また、第２塞ぎ部材４６の後側の垂木カバー６８は、図示しないが、垂木カバー６８の後側に配置される建物の外壁１２に当接することにより、垂木３０に対する位置が固定される。つまり、垂木カバー６８は、他の物体に当接することにより、垂木３０に対する位置が固定される。第２塞ぎ部材４６は、このような垂木カバー６８に当接することにより、垂木３０のガイド部３０ｂに対するスライドが拘束される。このように、垂木カバー６８は、第２塞ぎ部材４６のスライドを拘束可能な位置に配置される。これにより、垂木３０の一部を覆う垂木カバー６８を用いて、垂木３０に対する第２塞ぎ部材４６の位置を固定できる。
【００５８】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して説明しているが、そのような表記のない内容に設計変更が許容されないわけではない。また、図面の断面に付したハッチングは、ハッチングを付した対象の材質を限定するものではない。
【００５９】
実施形態では囲い壁１８の全部が開閉可能な障子である例を説明した。これに限られず、その一部のみが障子でもよいし、その全部が固定壁でもよい。
【００６０】
実施形態では骨組構造体１４が前桁２８Ｂの他に中間桁２８Ａを有する例を説明したが、中間桁２８Ａがなくともよい。中間桁２８Ａがない場合、囲い壁１８は、屋根体１６の下方の屋根下空間に軒下空間３７を区画せずに内部空間２２のみを区画することになる。
【００６１】
第１塞ぎ部材４４は、実施形態において、第１空間３８ａに対して、前後方向Ｙの一方側となる後側から差し込み可能な形状である例を説明した。この他にも、第１空間３８ａに対して、左右方向Ｘの一方側から差し込み可能な形状でもよい。つまり、第１塞ぎ部材４４は、第１空間３８ａに対して、水平方向の一方側から差し込み可能な形状であればよい。
【００６２】
実施形態では、第１空間３８ａに対して前後方向Ｙの他方側となる前側に垂木側位置決め部５０ａや桁側位置決め部２８ａが設けられる例を説明した。この他にも、第１塞ぎ部材４４が、第１空間３８ａに対して左右方向Ｘの一方側から差し込み可能な形状である場合、第１空間３８ａに対して左右方向Ｘの他方側に垂木側位置決め部５０ａや桁側位置決め部２８ａが設けられていてもよい。
【００６３】
実施形態では垂木３０に垂木側位置決め部５０ａが設けられ、中間桁２８Ａに桁側位置決め部２８ａが設けられる例を説明した。前述の（Ａ）の作用効果を得る観点からは、垂木３０及び中間桁２８Ａの少なくとも一方に位置決め部２８ａ、５０ａが設けられていればよい。
【００６４】
実施形態では垂木側位置決め部５０ａは垂木３０に取り付けられる位置決め具５０を介して垂木３０に設けられる例を説明したが、垂木３０に別の部材を介して設けられていてもよいし、垂木３０に直接に設けられていてもよい。
【００６５】
実施形態では荷重受け部５０ｂは垂木３０に取り付けられる位置決め具５０を介して垂木３０に設けられる例を説明したが、垂木３０に別の部材を介して設けられていてもよいし、垂木３０に直接に設けられていてもよい。いずれにしても、荷重受け部５０ｂは、第１塞ぎ部材４４に対して付与される下向きの荷重を受けて垂木３０に伝達するものとして機能する。
【００６６】
実施形態では第２立壁部６０ｂは第２塞ぎ部材４６に装着される連結具６０に設けられる例を説明したが、第２塞ぎ部材４６に別の部材を介して設けられていてもよいし、第２塞ぎ部材４６に直接に設けられてもよい。
【００６７】
実施形態の第２塞ぎ部材４６は、締結具６２を用いて第１塞ぎ部材４４に固定される例を説明したが、この固定手段は特に限られない。たとえば、第１塞ぎ部材４４と第２塞ぎ部材４６とに互いに嵌め合い可能な部位を設け、これらの嵌め合いにより固定してもよい。また、第２塞ぎ部材４６は、第１塞ぎ部材４４に固定されずに、前述の垂木カバー６８等を用いて、垂木３０に対する位置が固定されてもよい。
【００６８】
以上の実施形態、変形例により具体化される発明を一般化すると、以下の技術的思想が導かれる。以下、発明が解決しようとする課題に記載の態様を用いて説明する。
【００６９】
第２態様の屋外構造物は、第１態様において、前記隙間には、前記垂木と前記桁との間を通るとともに桁長手方向に沿って広がる第１空間が含まれ、前記塞ぎ体は、前記第１空間を塞ぐ第１塞ぎ部材を有し、前記第１塞ぎ部材は、前記第１空間に対して、水平方向の一方側から差し込み可能な形状でもよい。
この態様によれば、屋外構造物の構築作業時、高所での作業工数を減らして安全性を高められる。
【００７０】
第３態様の屋外構造物は、第２態様において、前記第１塞ぎ部材は、前記第１空間に対して、前記桁長手方向と直交する水平方向の一方側から差し込み可能な形状であり、前記垂木及び前記桁のうちの少なくとも一方には、前記第１塞ぎ部材に対して前記水平方向の他方側に前記第１塞ぎ部材が当接可能な位置決め部が設けられてもよい。
この態様によれば、垂木と桁との間の第１空間に対して水平方向の一方側から第１塞ぎ部材を差し込むだけで、第１塞ぎ部材を組付予定位置に位置決めした状態で配置でき、良好な施工性を得られる。
【００７１】
第４態様の屋外構造物は、第２態様又は第３態様において、前記複数の垂木には、桁長手方向の両側に配置される一対の妻垂木が含まれ、前記第１塞ぎ部材は、前記一対の妻垂木のうちの一方の妻垂木の下方から他方の妻垂木の下方に亘る範囲にあるように設けられてもよい。
この態様によれば、単数の第１塞ぎ部材を配置するだけで、屋根体の下方の第１空間を広い範囲で塞げるようになり、その第１空間を塞ぐうえで良好な作業性を得られる。
【００７２】
第５態様の屋外構造物は、第２態様から第４態様のいずれかにおいて、前記垂木には、前記第１塞ぎ部材に付与される下向きの荷重を受けるための荷重受け部が設けられてもよい。
この態様によれば、屋根体に付与される外部荷重に対して複数の垂木や第１塞ぎ部材により一体的に抵抗でき、外部荷重に対する屋根体の強度を効果的に高められる。
【００７３】
第６態様の屋外構造物は、第１態様から第５態様のいずれかにおいて、前記隙間には、桁長手方向に隣り合う垂木間に形成される複数の第２空間が含まれ、前記塞ぎ体は、前記複数の第２空間のそれぞれに対応して設けられ、対応する第２空間を塞ぐ第２塞ぎ部材を有し、前記桁長手方向に隣り合う垂木には、前記垂木の長手方向に前記第２塞ぎ部材をスライド可能に支持するガイド部が設けられてもよい。
この態様によれば、第２塞ぎ部材を組付予定位置に配置するうえで、第２塞ぎ部材の荷重の一部を垂木で支えながら作業でき、良好な作業性を得られる。
【００７４】
第７態様の屋外構造物は、第６態様において、前記垂木には、前記ガイド部を覆う垂木カバーが取り付けられ、前記垂木カバーは、前記第２塞ぎ部材のスライドを拘束可能な位置に配置されてもよい。
この態様によれば、垂木の一部を覆う垂木カバーを用いて、垂木に対する第２塞ぎ部材の位置を固定できる。
【００７５】
第８態様の屋外構造物は、第１態様から第７態様のいずれかにおいて、前記隙間には、前記垂木と前記桁との間を通るとともに桁長手方向に沿って広がる第１空間と、前記桁長手方向に隣り合う垂木間に形成される複数の第２空間と、が含まれ、前記塞ぎ体は、前記第１空間を塞ぐ第１塞ぎ部材と、前記複数の第２空間のそれぞれに対応して設けられ、対応する第２空間を塞ぐ第２塞ぎ部材と、を有し、前記第１塞ぎ部材には、前記第１塞ぎ部材の上面部から立ち上がるように立壁部が設けられ、前記立壁部は、前記第２塞ぎ部材に重ね合わせられてもよい。
この態様によれば、第１塞ぎ部材と第２塞ぎ部材との間を通して隙間風や雨水等が入り込み難くなり、これらの外部空間から内部空間への入り込みを効果的に防止できる。
【００７６】
第９態様の屋外構造物は、第８態様において、前記立壁部は、前記第２塞ぎ部材に締結具を用いて締結されてもよい。
この態様によれば、締結具の軸力により第１塞ぎ部材の立壁部と第２塞ぎ部材とを密着させることができ、これらの間での隙間風等の入り込みを効果的に防止できる。
【００７７】
本発明の第１０態様は第１態様から第９態様のいずれかの屋外構造物の構築方法である。第１０態様の屋外構造物の構築方法は、前記桁となる中間桁と、前記中間桁を挟んで前記外壁とは反対側に配置される前桁とを有する前記骨組構造体を組み立てる工程と、前記前桁と前記外壁との間に前記複数の垂木を架け渡す工程と、前記屋根体と前記中間桁との間に前記塞ぎ体を配置する工程と、を含む。
【００７８】
第１１態様の屋外構造物の構築方法は、第２態様から第９態様のいずれかの屋外構造物の構築方法であって、第１０態様において、前記塞ぎ体を配置する工程には、前記複数の垂木と前記中間桁との間の前記第１空間に対して前記桁長手方向と直交する水平方向の一方側から前記第１塞ぎ部材を差し込む工程が含まれてもよい。
【符号の説明】
【００７９】
１０…屋外構造物、１２…外壁、１４…骨組構造体、１６…屋根体、１８…囲い壁、２０…外部空間、２２…内部空間、２８Ａ…中間桁、２８Ｂ…前桁、２８ａ…桁側位置決め部、３０Ａ…妻垂木、３０Ｂ…中間垂木、３０ｂ…ガイド部、３８…隙間、３８ａ…第１空間、３８ｂ…第２空間、４２…塞ぎ体、４４…第１塞ぎ部材、４４ｅ…立壁部、４６…第２塞ぎ部材、５０ａ…桁側位置決め部，５０ｂ…荷重受け部、６２…締結具。
【図１】
2018017059.tif 000003
【図２】
2018017059.tif 000004
【図３】
2018017059.tif 000005
【図４】
2018017059.tif 000006
【図５】
2018017059.tif 000007
【図６】
2018017059.tif 000008
【図７】
2018017059.tif 000009
【図８】
2018017059.tif 000010
【図９】
2018017059.tif 000011